【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
ａ）正電荷を有するように改質されたギルソナイトを含むアスファルト配合物と；
ｂ）一つまたは複数のポリマーと
ｃ）カチオン系界面活性剤を含まない一つまたは複数の界面活性剤とを有する、
飛行場の表面または道路への塗布用の安定なカチオン系エマルジョンと；
飛行場の表面または道路に塗布された安定なカチオン系エマルジョンに塗布される細骨材材料と、
を含む、飛行場の表面または道路用のコーティング系。
【請求項２】
前記アスファルト配合物が前記エマルジョンの約５０．０重量％から約７０．０重量％を構成する、請求項１に記載のコーティング系。
【請求項３】
前記ギルソナイトが、前記アスファルト配合物の少なくとも約２０重量％レベルで存在する、請求項１又は２に記載のコーティング系。
【請求項４】
前記ギルソナイトが、前記エマルジョンの少なくとも約１０重量％のレベルで存在する、請求項１又は２に記載のコーティング系。
【請求項５】
前記一つまたは複数のポリマーが、アクリル、スチレンブタジエンゴム、またはそれらの組み合わせである、請求項１〜４のいずれか１項に記載のコーティング系。
【請求項６】
前記一つまたは複数のポリマーが、前記エマルジョンの約１．０重量％から約５．０重量％を構成する、請求項１〜５のいずれか１項に記載のコーティング系。
【請求項７】
前記一つまたは複数の界面活性剤が、前記エマルジョンの約０．２５重量％から約４．０重量％を構成する、請求項１〜５のいずれか１項に記載のコーティング系。
【請求項８】
前記一つまたは複数の界面活性剤が、非イオン系界面活性剤および両性界面活性剤の少なくとも一つである、請求項１〜７のいずれか１項に記載のコーティング系。
【請求項９】
前記エマルジョンが、前記エマルジョンの０．２５重量％から３．０重量％の間のレベルで存在する改質剤を有する、請求項１〜８のいずれか１項に記載のコーティング系。
【請求項１０】
前記エマルジョンが６．５未満のｐＨを有する、請求項１〜９のいずれか１項に記載のコーティング系。
【請求項１１】
前記細骨材が、前記粒子の９８重量％から１００重量％がＮｏ．１４のふるいを通過するような粒子サイズ分布を有する、請求項１〜１０のいずれか１項に記載のコーティング系。
【請求項１２】
前記細骨材材料が：
ＡＳＴＭ  Ｃ１２５２試験法Ａにしたがって測定された、細骨材の少なくとも４５％の角張り指数と；
ＡＳＴＭ  Ｃ１２８にしたがって測定された、２．６〜３．０のバルク乾燥比重と；
ＡＳＴＭ  ＭＬＮ４６にしたがって測定された、少なくとも７．０のモース硬度を有する、請求項１１に記載のコーティング系。
【請求項１３】
前記細骨材材料が、チャート（ｃｈｅｒｔ）、珪岩、および炭酸塩の少なくとも一つを含む、請求項１〜１２のいずれか１項に記載のコーティング系。
【請求項１４】
前記アスファルト配合物が、前記エマルジョンの約５０．０重量％から約７０．０重量％を構成し、前記ギルソナイトが、前記エマルジョンの少なくとも約１０重量％のレベルで存在し、
前記一つまたは複数のポリマーが、前記エマルジョンの約１．０重量％から約５．０重量％を構成し、そして
前記一つまたは複数の界面活性剤が、前記エマルジョンの約０．２５重量％から約４．０重量％を構成する、請求項１〜１３のいずれか１項に記載のコーティング系。
【請求項１５】
アスファルト・セメントをギルソナイトと配合してアスファルト配合物を形成することと；
水と、改質剤と、一つまたは複数の界面活性剤とを含む水溶液を準備し、前記一つまたは複数の界面活性剤のいずれも、カチオン系界面活性剤ではないことと；
前記アスファルト配合物を水溶液と一つにしてカチオン系エマルジョンを形成し、これにより前記ギルソナイトの部分に正電荷を生じさせて、安定なカチオン系エマルジョンを形成するようにすることと；
一つまたは複数のポリマーを前記水溶液または前記カチオン系エマルジョンに添加することと
を含む、安定なカチオン系アスファルト・エマルジョンを製造する方法。
【請求項１６】
前記一つまたはポリマーの添加が、前記アスファルト配合物を前記水溶液と一つにすることに先立って生じる、請求項１５に記載の方法。
【請求項１７】
前記一つまたはポリマーの添加が、前記アスファルト配合物を前記水溶液と一つにした後に生じる、請求項１５に記載の方法。
【請求項１８】
前記アスファルト配合物が、前記エマルジョンの約５０．０重量％から約７０．０重量％を構成する、請求項１５〜１７のいずれか１項に記載の方法。
【請求項１９】
前記ギルソナイトが、前記アスファルト配合物の少なくとも約２０重量％のレベルで存在する、請求項１５〜１８のいずれか１項に記載の方法。
【請求項２０】
前記一つまたは複数のポリマーが、アクリル、スチレンブタジエンゴム、またはそれらの組み合わせである、請求項１５〜１９のいずれか１項に記載の方法。
【請求項２１】
前記一つまたは複数のポリマーが、前記エマルジョンの約１．０重量％から約５．０重量％を構成する、請求項１５〜２０のいずれか１項に記載の方法。
【請求項２２】
前記一つまたは複数の界面活性剤が、前記エマルジョンの約０．２５重量％から約４．０重量％を構成する、請求項１５〜２１のいずれか１項に記載の方法。
【請求項２３】
塗布装置車両を用いて安定なカチオン系エマルジョンを表面に噴霧し、前記安定なカチオン系エマルジョンが、
ａ）正電荷を有するように改質されたギルソナイトを含むアスファルト配合物と；
ｂ）一つまたは複数のポリマーと、
ｃ）カチオン系界面活性剤を含まない一つまたは複数の界面活性剤と、を含むことと；
表面に塗布された前記安定なカチオン系エマルジョンに平方ヤードあたり少なくとも１．０重量ポンドの率で細骨材を塗布することと
を含む、コーティング系を表面に塗布する方法。
【請求項２４】
前記安定なカチオン系エマルジョンを、表面上に平方ヤードあたり０．１０から１．０ガロンの量で噴霧する、請求項２３に記載の方法。
【請求項２５】
前記安定なカチオン系エマルジョンを、平方ヤードあたり０．１５から０．２５ガロンの量で噴霧する、請求項２４に記載の方法。
【請求項２６】
前記細骨材材料を、前記安定なカチオン系エマルジョン上に平方ヤードあたり１．０重量ポンドから平方ヤードあたり５．０重量ポンドの量で塗布する、請求項２３〜２５のいずれか１項に記載の方法。
【請求項２７】
前記細骨材を塗布すること、および前記安定なカチオン系エマルジョンを塗布することを、同一の塗布装置車両を用いて行う、請求項２３〜２６のいずれか１項に記載の方法。
【請求項２８】
前記安定なカチオン系エマルジョンを噴霧する噴霧ユニット；および
前記塗布装置に搭載されて前記細骨材を表面に塗布するように構成された散布器ユニットであって：
ａ．  前記細骨材材料を保持するホッパーと；
ｂ．  前記ホッパーに結合し、可動であることによって前記細骨材を前記ホッパーから射出させることができる制御可能なゲートと；
ｃ．  噴霧されたエマルジョン上に前記細骨材材料を塗布するように構成された、制御可能なゲート近傍のローラー組み立て体と、を含む散布器ユニット
を含む、請求項２３〜２７のいずれか１項に記載の方法により表面をコーティングする系。
【請求項２９】
前記噴霧ユニットと前記散布器ユニットとを搭載した塗布装置車両をさらに含む、請求項２８に記載の系。
【請求項３０】
前記散布器ユニットおよび前記噴霧器ユニットの操作を制御するように構成されたコントローラをさらに含む、請求項２８又は２９に記載の系。